【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
ネットワーク内のトラフィックエンジニアリング区間対応の入口エッジノードと出口エッジノードとの間に設定した複数のパスに前記入口エッジノードへの入力トラヒックを分散させる割合を決定する手段と；
前記入口エッジノードへの入力トラヒックを前記複数のパスに分散させる割合の決定を前記入口エッジノード対応の分散制御箇所と他の集中制御箇所とのいずれで処理するかを指示する手段と；
を備える広域負荷分散制御システム。
【請求項２】
前記指示する手段は、前記分散制御箇所及び前記集中制御箇所の負荷状態に応じて前記処理を担ういずれかの箇所を指示する
請求項１記載の広域負荷分散制御システム。
【請求項３】
前記集中制御箇所は、前記ネットワーク内の前記トラフィックエンジニアリング区間に存在する前記入口エッジノード及び前記出口エッジノードを含む複数のノードを集中的に制御する網制御装置である
請求項１記載の広域負荷分散制御システム。
【請求項４】
前記指示する手段が、前記網制御装置の外部の状態監視装置に設けられている
請求項３記載の広域負荷分散制御システム。
【請求項５】
前記ネットワークは、ＭＰＬＳに基づくラベルスイッチネットワークである
請求項１記載の広域負荷分散制御システム。
【請求項６】
前記入口エッジノード対応の前記分散制御箇所が前記ネットワーク内の負荷状態を示す統計情報を収集する場合、
前記分散制御箇所は、特定プロトコルの通知メッセージを利用可能なノードからの前記統計情報を直接収集し、前記特定プロトコルの通知メッセージを利用不可能なノードからの前記統計情報を前記集中制御箇所を通して収集する
請求項１記載の広域負荷分散制御システム。
【請求項７】
ネットワーク内の各ノードに接続されたリンクのトラフィック状態を統計情報として前
記各ノードから取得する統計情報収集手段と；
取得された前記統計情報に基づいて、前記ネットワークのトラフィックエンジニアリング区間対応の入口エッジノードと出口エッジノードとの間に複数のパスを張るための少なくとも１つの経路を決定する経路決定手段と；
取得された前記統計情報を基に、決定された前記経路上のパスのそれぞれに分散すべきトラフィックの割合を決定する負荷分散決定手段とを備え；
前記統計情報収集手段、前記経路決定手段及び前記負荷分散決定手段のそれぞれの動作箇所を前記入口エッジノードと前記各ノードを集中的に制御する網制御装置との間で互いに切り替える
広域負荷分散制御システム。
【請求項８】
前記入口エッジノードは、前記負荷分散決定手段からの前記経路上のパスのそれぞれに分散すべきトラフィックの割合の指示に基づいて、到着するパケットを前記経路上のパスに振分ける振分手段を備える
請求項７記載の広域負荷分散制御システム。
【請求項９】
前記入口エッジノード及び前記網制御装置の負荷状態を収集及び判定する手段と；
前記負荷状態に応じて、前記統計情報収集手段、前記経路決定手段及び前記負荷分散決定手段のそれぞれの動作箇所を前記入口エッジノードと前記網制御装置との間で互いに切り替えさせる指示手段と；
を有する状態監視装置を更に備える
請求項７記載の広域負荷分散制御システム。
【請求項１０】
前記入口エッジノードが前記ネットワーク内の負荷状態を示す統計情報を収集する場合、
前記入口エッジノードは、特定プロトコルの通知メッセージを利用可能なノードからの前記統計情報を直接収集し、前記特定プロトコルの通知メッセージを利用不可能なノードからの前記統計情報を前記網制御装置を通して収集する
請求項７記載の広域負荷分散制御システム。
【請求項１１】
前記入口エッジノードが前記負荷分散決定手段を有しない場合、前記網制御装置の前記負荷分散決定手段を動作させる
請求項７記載の広域負荷分散制御システム。
【請求項１２】
前記ネットワークは、ＭＰＬＳに基づくラベルスイッチネットワークである
請求項７記載の広域負荷分散制御システム。
【請求項１３】
ネットワーク内のトラフィックエンジニアリング区間対応の入口エッジノードと出口エッジノードとの間に設定した複数のパスに前記入口エッジノードへの入力トラヒックを分散させる割合を決定するステップと；
前記入口エッジノードへの入力トラヒックを前記複数のパスに分散させる割合の決定を前記入口エッジノード対応の分散制御箇所と他の集中制御箇所とのいずれで処理するかを指示するステップと；
を備える広域負荷分散制御方法。
【請求項１４】
ネットワーク内の各ノードに接続されたリンクのトラフィック状態を統計情報として前記各ノードから取得するステップと；
取得された前記統計情報に基づいて、前記ネットワークのトラフィックエンジニアリング区間対応の入口エッジノードと出口エッジノードとの間に複数のパスを張るための少なくとも１つの経路を決定するステップと；
取得された前記統計情報を基に、決定された前記経路上のパスのそれぞれに分散すべきトラフィックの割合を決定するステップと；
前記各ステップの処理箇所を前記入口エッジノードと前記各ノードを集中的に制御する制御装置との間で互いに切り替えるステップと；
を備える広域負荷分散制御方法。
【請求項１５】
前記入口エッジノード及び前記制御装置の負荷状態を収集及び判定するステップと；
前記負荷状態に応じて、前記処理箇所を前記入口エッジノードと前記制御装置との間で互いに切り替えさせるために指示するステップと；
を更に備える請求項１４記載の広域負荷分散制御方法。
【手続補正２】
【補正対象書類名】明細書
【補正対象項目名】００１６
【補正方法】変更
【補正の内容】
【００１６】
好適な実施の形態によると、本発明の第１の広域負荷分散制御システムは、ネットワーク内のトラフィックエンジニアリング区間対応の入口エッジノードと出口エッジノードとの間に設定した複数のパスに前記入口エッジノードへの入力トラヒックを分散させる割合を決定する手段と；
前記入口エッジノードへの入力トラヒックを前記複数のパスに分散させる割合の決定を前記入口エッジノード対応の分散制御箇所と他の集中制御箇所とのいずれで処理するかを指示する手段とを備える。
この構成において、前記指示する手段は、前記分散制御箇所及び前記集中制御箇所の負荷状態に応じて前記処理を担ういずれかの箇所を指示する。
また、前記集中制御箇所は、前記ネットワーク内の前記トラフィックエンジニアリング区間に存在する前記入口エッジノード及び前記出口エッジノードを含む複数のノードを集中的に制御する網制御装置である。ここでは、前記指示する手段が、前記網制御装置の外部の状態監視装置に設けられる。
また、前記ネットワークは、ＭＰＬＳに基づくラベルスイッチネットワークである。
さらに、前記入口エッジノード対応の前記分散制御箇所が前記ネットワーク内の負荷状態を示す統計情報を収集する場合、
前記分散制御箇所は、特定プロトコルの通知メッセージを利用可能なノードからの前記統計情報を直接収集し、前記特定プロトコルの通知メッセージを利用不可能なノードからの前記統計情報を前記集中制御箇所を通して収集する。
【手続補正３】
【補正対象書類名】明細書
【補正対象項目名】００１８
【補正方法】変更
【補正の内容】
【００１８】
この構成において、前記入口エッジノードは、前記負荷分散決定手段からの前記経路上のパスのそれぞれに分散すべきトラフィックの割合の指示に基づいて、到着するパケットを前記経路上のパスに振分ける振分手段を備える。
また、前記入口エッジノード及び前記網制御装置の負荷状態を収集及び判定する手段と；
前記負荷状態に応じて、前記統計情報収集手段、前記経路決定手段及び前記負荷分散決定手段のそれぞれの動作箇所を前記入口エッジノードと前記網制御装置との間で互いに切り替えさせる指示手段と；
を有する状態監視装置を更に備える。


【手続補正４】
【補正対象書類名】明細書
【補正対象項目名】００２０
【補正方法】変更
【補正の内容】
【００２０】
さらに、前記入口エッジノードが前記負荷分散決定手段を有しない場合、前記網制御装置の前記負荷分散決定手段を動作させる。また、前記ネットワークは、ＭＰＬＳに基づくラベルスイッチネットワークである。
本発明の第１の広域負荷分散制御方法は、ネットワーク内のトラフィックエンジニアリング区間対応の入口エッジノードと出口エッジノードとの間に設定した複数のパスに前記入口エッジノードへの入力トラヒックを分散させる割合を決定するステップと；
前記入口エッジノードへの入力トラヒックを前記複数のパスに分散させる割合の決定を前記入口エッジノード対応の分散制御箇所と他の集中制御箇所とのいずれで処理するかを指示するステップとを備える。
本発明の第２の広域負荷分散制御方法は、ネットワーク内の各ノードに接続されたリンクのトラフィック状態を統計情報として前記各ノードから取得するステップと；
取得された前記統計情報に基づいて、前記ネットワークのトラフィックエンジニアリング区間対応の入口エッジノードと出口エッジノードとの間に複数のパスを張るための少なくとも１つの経路を決定するステップと；
取得された前記統計情報を基に、決定された前記経路上のパスのそれぞれに分散すべきトラフィックの割合を決定するステップと；
前記各ステップの処理箇所を前記入口エッジノードと前記各ノードを集中的に制御する制御装置との間で互いに切り替えるステップとを備える。ここでは、前記入口エッジノード及び前記制御装置の負荷状態を収集及び判定するステップと；
前記負荷状態に応じて、前記処理箇所を前記入口エッジノードと前記制御装置との間で互いに切り替えさせるために指示するステップとを更に備える。